【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
ユーザ端末と通信可能なサーバ装置であって、
ユーザ端末の位置情報を取得する位置情報取得手段と、
前記ユーザ端末がインセンティブ情報の提供エリア外に存在する場合に、ユーザに提供
されるべきインセンティブ情報が存在することを示す告知情報を当該ユーザ端末に送信す
る告知情報送信手段と、
前記ユーザ端末が前記提供エリア内に存在する場合に、インセンティブ情報が取得可能
であることを示す提供情報を当該ユーザ端末に送信する提供情報送信手段と、
前記ユーザ端末が前記提供エリア内に存在し、かつ、当該ユーザ端末からインセンティ
ブ情報の要求を受信した場合に、要求元のユーザ端末にインセンティブ情報を送信するイ
ンセンティブ情報送信手段と、を備えることを特徴とするサーバ装置。
【請求項２】
前記告知情報は、ユーザに提供されるインセンティブ情報が用意されていること、及び
、現在のユーザ端末の位置では前記インセンティブ情報が取得できないことを示す情報を
含むことを特徴とする請求項１に記載のサーバ装置。
【請求項３】
前記提供情報は、ユーザに提供されるインセンティブ情報が用意されていること、及び
、当該インセンティブ情報を要求する操作を示す情報を含むことを特徴とする請求項１又
は２に記載のサーバ装置。
【請求項４】
インセンティブ情報の提供主の端末装置と通信し、当該端末装置に対して入力された前
記提供エリアの変更指示を受信して前記提供エリアを変更する提供エリア変更手段を備え
ることを特徴とする請求項１乃至３のいずれか一項に記載のサーバ装置。
【請求項５】
前記インセンティブ情報送信手段がユーザ端末へインセンティブ情報を送信した回数を
、インセンティブ情報の提供主ごとに集計して記憶する回数記憶手段を備えることを特徴
とする請求項１乃至４のいずれか一項に記載のサーバ装置。
【請求項６】
サーバと通信可能なユーザ端末であって、
現在位置を取得する現在位置取得手段と、
現在位置がインセンティブ情報の提供エリア外に存在する場合に、ユーザに提供される
べきインセンティブ情報が存在することを示す告知情報を表示する告知情報表示手段と、
現在位置が前記提供エリア内に存在する場合に、インセンティブ情報が取得可能である
ことを示す提供情報を表示する提供情報表示手段と、
現在位置が前記提供エリア内に存在し、かつ、インセンティブ情報の要求が入力された
場合に、サーバにインセンティブ情報を要求するインセンティブ情報要求手段と、
前記サーバからインセンティブ情報を受信するインセンティブ情報受信手段と、を備え
ることを特徴とするユーザ端末。
【請求項７】
ユーザ端末と通信可能なサーバ装置により実行されるプログラムであって、
ユーザ端末の位置情報を取得する位置情報取得手段、
前記ユーザ端末がインセンティブ情報の提供エリア外に存在する場合に、ユーザに提供
されるべきインセンティブ情報が存在することを示す告知情報を当該ユーザ端末に送信す
る告知情報送信手段、
前記ユーザ端末が前記提供エリア内に存在する場合に、インセンティブ情報が取得可能
であることを示す提供情報を当該ユーザ端末に送信する提供情報送信手段、
前記ユーザ端末が前記提供エリア内に存在し、かつ、当該ユーザ端末からインセンティ
ブ情報の要求を受信した場合に、要求元のユーザ端末にインセンティブ情報を送信するイ
ンセンティブ情報送信手段、として前記サーバ装置を機能させることを特徴とするプログ
ラム。
【請求項８】
サーバと通信可能なユーザ端末により実行されるプログラムであって、
現在位置を取得する現在位置取得手段、
現在位置がインセンティブ情報の提供エリア外に存在する場合に、ユーザに提供される
べきインセンティブ情報が存在することを示す告知情報を表示する告知情報表示手段、
現在位置が前記提供エリア内に存在する場合に、インセンティブ情報が取得可能である
ことを示す提供情報を表示する提供情報表示手段、
現在位置が前記提供エリア内に存在し、かつ、インセンティブ情報の要求が入力された
場合に、サーバにインセンティブ情報を要求するインセンティブ情報要求手段、
前記サーバからインセンティブ情報を受信するインセンティブ情報受信手段、として前
記ユーザ端末を機能させることを特徴とするプログラム。
【請求項９】
サーバ装置と通信可能なユーザ端末であって、
ユーザが取得可能なインセンティブ情報と当該インセンティブ情報を提供する施設の情
報とを含む告知情報を第１の様態で表示する表示手段と、
現在位置がインセンティブ情報を提供する施設内である場合、当該インセンティブ情報
の取得要求を前記サーバに送信する送信手段と、
前記送信手段によって送信された取得要求に対応するインセンティブ情報を、前記サー
バから取得する取得手段と、
を備え、
前記表示手段は、前記取得手段により取得したインセンティブ情報と当該インセンティ
ブ情報を提供した施設の情報とを含む告知情報を前記第一の様態とは異なる第二の様態で
表示することを特徴とするユーザ端末。
【請求項１０】
前記表示手段は、ユーザが取得可能なインセンティブ情報と当該インセンティブ情報を
提供する施設の情報とを含む告知情報が表示されている場合に、当該告知情報を選択する
と、選択された告知情報に対応するインセンティブ情報の内容、及び当該インセンティブ
情報を提供する施設の場所の情報を表示することを特徴とする請求項９に記載のユーザ端
末。
【請求項１１】
前記表示手段は、前記第二の様態としてインセンティブ情報を取得済みであることを示
す情報を表示することを特徴とする請求項９乃至１０に記載のユーザ端末。
【請求項１２】
サーバ装置と通信可能なユーザ端末において実行される方法であって、
ユーザが取得可能なインセンティブ情報と当該インセンティブ情報を提供する施設の情
報とを含む告知情報を第１の様態で表示する表示工程と、
現在位置がインセンティブ情報を提供する施設内である場合、当該インセンティブ情報
の取得要求を前記サーバに送信する送信工程と、
前記送信手段によって送信された取得要求に対応するインセンティブ情報を、前記サー
バから取得する取得工程と、
を含み、
前記表示工程においては、前記取得手段により取得したインセンティブ情報と当該イン
センティブ情報を提供した施設の情報とを含む告知情報を前記第一の様態とは異なる第二
の様態で表示することを特徴とする方法。
【請求項１３】
サーバ装置と通信可能なユーザ端末により実行されるプログラムであって、
ユーザが取得可能なインセンティブ情報と当該インセンティブ情報を提供する施設の情
報とを含む告知情報を第１の様態で表示する表示手段、
現在位置がインセンティブ情報を提供する施設内である場合、当該インセンティブ情報
の取得要求を前記サーバに送信する送信手段、
前記送信手段によって送信された取得要求に対応するインセンティブ情報を、前記サー
バから取得する取得手段、
として、前記ユーザ端末を機能させるとともに、
前記表示手段として、前記取得手段により取得したインセンティブ情報と当該インセン
ティブ情報を提供した施設の情報とを含む告知情報を前記第一の様態とは異なる第二の様
態で表示するように機能させることを特徴とするプログラム。
【手続補正２】
【補正対象書類名】明細書
【補正対象項目名】００１０
【補正方法】変更
【補正の内容】
【００１０】
請求項８に記載の発明は、サーバと通信可能なユーザ端末により実行されるプログラム
であって、現在位置を取得する現在位置取得手段、現在位置がインセンティブ情報の提供
エリア外に存在する場合に、ユーザに提供されるべきインセンティブ情報が存在すること
を示す告知情報を表示する告知情報表示手段、現在位置が前記提供エリア内に存在する場
合に、インセンティブ情報が取得可能であることを示す提供情報を表示する提供情報表示
手段、現在位置が前記提供エリア内に存在し、かつ、インセンティブ情報の要求が入力さ
れた場合に、サーバにインセンティブ情報を要求するインセンティブ情報要求手段、前記
サーバからインセンティブ情報を受信するインセンティブ情報受信手段、として前記ユー
ザ端末を機能させることを特徴とする。
請求項９に記載の発明は、サーバ装置と通信可能なユーザ端末であって、ユーザが取得
可能なインセンティブ情報と当該インセンティブ情報を提供する施設の情報とを含む告知
情報を第１の様態で表示する表示手段と、現在位置がインセンティブ情報を提供する施設
内である場合、当該インセンティブ情報の取得要求を前記サーバに送信する送信手段と、
前記送信手段によって送信された取得要求に対応するインセンティブ情報を、前記サーバ
から取得する取得手段と、を備え、前記表示手段は、前記取得手段により取得したインセ
ンティブ情報と当該インセンティブ情報を提供した施設の情報とを含む告知情報を前記第
一の様態とは異なる第二の様態で表示することを特徴とする。
請求項１２に記載の発明は、サーバ装置と通信可能なユーザ端末において実行される方
法であって、ユーザが取得可能なインセンティブ情報と当該インセンティブ情報を提供す
る施設の情報とを含む告知情報を第１の様態で表示する表示工程と、現在位置がインセン
ティブ情報を提供する施設内である場合、当該インセンティブ情報の取得要求を前記サー
バに送信する送信工程と、前記送信手段によって送信された取得要求に対応するインセン
ティブ情報を、前記サーバから取得する取得工程と、を含み、前記表示工程においては、
前記取得手段により取得したインセンティブ情報と当該インセンティブ情報を提供した施
設の情報とを含む告知情報を前記第一の様態とは異なる第二の様態で表示することを特徴
とする。
請求項１３に記載の発明は、サーバ装置と通信可能なユーザ端末により実行されるプロ
グラムであって、ユーザが取得可能なインセンティブ情報と当該インセンティブ情報を提
供する施設の情報とを含む告知情報を第１の様態で表示する表示手段、現在位置がインセ
ンティブ情報を提供する施設内である場合、当該インセンティブ情報の取得要求を前記サ
ーバに送信する送信手段、前記送信手段によって送信された取得要求に対応するインセン
ティブ情報を、前記サーバから取得する取得手段、として、前記ユーザ端末を機能させる
とともに、前記表示手段として、前記取得手段により取得したインセンティブ情報と当該
インセンティブ情報を提供した施設の情報とを含む告知情報を前記第一の様態とは異なる
第二の様態で表示するように機能させることを特徴とする。